【手続補正書】
【提出日】平成26年3月12日(2014.3.12)
【手続補正１】
【補正対象書類名】特許請求の範囲
【補正対象項目名】全文
【補正方法】変更
【補正の内容】
【特許請求の範囲】
【請求項１】
無線通信システムにおける端末の動作方法において、
レンジングコードの第１セット及びレンジングコードの第２セットを確認する過程と、
前記レンジングコードの第１セットのうち１つのレンジングコードを送信する過程と、
リソース割り当て情報を含むメッセージを受信する過程と、
前記リソース割り当て情報によって割り当てられたリソースを用いてレンジング要求メッセージを送信する過程と、を含み、
前記レンジングコードの第１セットが使用されると前記レンジング要求メッセージの再送が支援され、
前記レンジングコードの第２セットが使用されると前記レンジング要求メッセージの再送が支援されないことを特徴とする方法。
【請求項２】
前記レンジングコードの第１セットに対する情報及び前記レンジングコードの第２セットに対する情報を受信する過程をさらに含むことを特徴とする請求項１に記載の方法。
【請求項３】
前記レンジングコードの第１セットに対する情報は、レンジングコードの範囲をコード個数又はコードインデックスで定義することを特徴とする請求項２に記載の方法。
【請求項４】
前記リソース割り当て情報を含むメッセージは、前記端末から送信されたレンジングコードのインデックス及び前記端末から送信されたレンジングコードを運んだフレームインデックスを含むことを特徴とする請求項１に記載の方法。
【請求項５】
前記リソース割り当て情報を含むメッセージは、ＡＲＱ（Ａｕｔｏｍａｔｉｃ  Ｒｅｐｅａｔ  ｒｅｑｕｅｓｔ）チャネル識別子（ｉｄｅｎｔｉｆｉｅｒ）、ＡＲＱ識別子シーケンス番号（ＡＩ＿ＳＮ：Ａｒｑ  Ｉｄｅｎｔｉｆｉｅｒ  Ｓｅｑｕｅｎｃｅ  Ｎｕｍｂｅｒ）、ＡＣＫ／ＮＡＣＫ（ＡＣＫｎｏｗｌｅｄｇｅ／Ｎｏｎ−ＡＣＫ）をフィードバックするか否かを知らせる値のうち少なくとも１つを含むことを特徴とする請求項１に記載の方法。
【請求項６】
前記リソース割り当て情報を含むメッセージは、前記端末と同じフレームでレンジングコードを送信した他の端末に対するリソース割り当て情報及び再送関連情報を含むことを特徴とする請求項１に記載の方法。
【請求項７】
再送のためのリソース割り当て情報を含むメッセージを受信する過程と、
前記リソース割り当て情報によって割り当てられた他のリソースを用いて前記レンジング要求メッセージを再送する過程と、をさらに含むことを特徴とする請求項１に記載の方法。
【請求項８】
前記再送のためのリソース割り当て情報を含むメッセージそれぞれによって割り当てられたリソースを介して送信された信号は、基地局で結合されることを特徴とする請求項７に記載の方法。
【請求項９】
前記リソース割り当て情報を含むメッセージは、ＣＤＭＡ（Ｃｏｄｅ  Ｄｉｖｉｓｉｏｎ  Ｍｕｌｔｉｐｌｅ  Ａｃｃｅｓｓ）＿Ａｌｌｏｃａｔｉｏｎ＿ＩＥ（Ｉｎｆｏｒｍａｔｉｏｎ  Ｅｌｅｍｅｎｔ）であることを特徴とする請求項１に記載の方法。
【請求項１０】
無線通信システムにおける端末装置において、
レンジングコードの第１セット及びレンジングコードの第２セットを確認する制御部と、
前記レンジングコードの第１セットのうち１つのレンジングコードを送信し、リソース割り当て情報を含むメッセージを受信し、前記リソース割り当て情報によって割り当てられたリソースを用いてレンジング要求メッセージを送信するモデムと、を含み、
前記レンジングコードの第１セットが使用されると前記レンジング要求メッセージの再送が支援され、
前記レンジングコードの第２セットが使用されると前記レンジング要求メッセージの再送が支援されないことを特徴とする装置。
【請求項１１】
前記モデムは、前記レンジングコードの第１セットに対する情報及び前記レンジングコードの第２セットに対する情報を受信することを特徴とする請求項１０に記載の装置。
【請求項１２】
前記レンジングコードの第１セットに対する情報は、レンジングコードの範囲をコード個数又はコードインデックスで定義することを特徴とする請求項１１に記載の装置。
【請求項１３】
前記リソース割り当て情報を含むメッセージは、前記端末装置から送信されたレンジングコードのインデックス及び前記端末装置から送信されたレンジングコードを運んだフレームインデックスを含むことを特徴とする請求項１０に記載の装置。
【請求項１４】
前記リソース割り当て情報を含むメッセージは、ＡＲＱ（Ａｕｔｏｍａｔｉｃ  Ｒｅｐｅａｔ  ｒｅｑｕｅｓｔ）チャネル識別子（ｉｄｅｎｔｉｆｉｅｒ）、ＡＲＱ識別子シーケンス番号（ＡＩ＿ＳＮ：Ａｒｑ  Ｉｄｅｎｔｉｆｉｅｒ  Ｓｅｑｕｅｎｃｅ  Ｎｕｍｂｅｒ）、ＡＣＫ／ＮＡＣＫ（ＡＣＫｎｏｗｌｅｄｇｅ／Ｎｏｎ−ＡＣＫ）をフィードバックするか否かを知らせる値のうち少なくとも１つを含むことを特徴とする請求項１０に記載の装置。
【請求項１５】
前記リソース割り当て情報を含むメッセージは、前記端末装置と同じフレームでレンジングコードを送信した他の端末装置に対するリソース割り当て情報及び再送関連情報を含むことを特徴とする請求項１０に記載の装置。
【請求項１６】
前記モデムは、再送のためのリソース割り当て情報を含むメッセージを受信し、前記リソース割り当て情報によって割り当てられる他のリソースを用いて前記レンジング要求メッセージを再送することを特徴とする請求項１０に記載の装置。
【請求項１７】
前記再送のためのリソース割り当て情報を含むメッセージそれぞれによって割り当てられたリソースを介して送信された信号は、基地局で結合されることを特徴とする請求項１６に記載の装置。
【請求項１８】
前記リソース割り当て情報を含むメッセージは、ＣＤＭＡ（Ｃｏｄｅ  Ｄｉｖｉｓｉｏｎ  Ｍｕｌｔｉｐｌｅ  Ａｃｃｅｓｓ）＿Ａｌｌｏｃａｔｉｏｎ＿ＩＥ（Ｉｎｆｏｒｍａｔｉｏｎ  Ｅｌｅｍｅｎｔ）であることを特徴とする請求項１０に記載の装置。
【請求項１９】
無線通信システムにおける基地局の動作方法において、
レンジングコードの第１セットに対する情報及びレンジングコードの第２セットに対する情報を送信する過程と、
端末から前記レンジングコードの第１セットのうち１つのレンジングコートを受信する過程と、
前記端末にリソース割り当て情報を含むメッセージを送信する過程と、を含み、
前記レンジングコードの第１セットが使用されるとレンジング要求メッセージの再送が支援され、
前記レンジングコードの第２セットが使用されるとレンジング要求メッセージの再送が支援されないことを含むことを特徴とする方法。
【請求項２０】
再送のためのリソース割り当て情報を含むメッセージを送信する過程をさらに含むことを特徴とする請求項１９に記載の方法。
【請求項２１】
前記再送のためのリソース割り当て情報を含むメッセージそれぞれによって割り当てられたリソースを介して受信された信号を結合する過程をさらに含むことを特徴とする請求項２０に記載の方法。
【請求項２２】
前記レンジングコードの第１セットに対する情報は、レンジングコードの範囲をコード個数又はコードインデックスで定義することを特徴とする請求項１９に記載の方法。
【請求項２３】
前記リソース割り当て情報を含むメッセージは、前記端末から送信されたレンジングコードのインデックス及び前記端末から送信されたレンジングコードを運んだフレームインデックスを含むことを特徴とする請求項１９に記載の方法。
【請求項２４】
前記リソース割り当て情報を含むメッセージは、ＡＲＱ（Ａｕｔｏｍａｔｉｃ  Ｒｅｐｅａｔ  ｒｅｑｕｅｓｔ）チャネル識別子（ｉｄｅｎｔｉｆｉｅｒ）、ＡＲＱ識別子シーケンス番号（ＡＩ＿ＳＮ：Ａｒｑ  Ｉｄｅｎｔｉｆｉｅｒ  Ｓｅｑｕｅｎｃｅ  Ｎｕｍｂｅｒ）、ＡＣＫ／ＮＡＣＫ（ＡＣＫｎｏｗｌｅｄｇｅ／Ｎｏｎ−ＡＣＫ）をフィードバックするか否かを知らせる値のうち少なくとも１つを含むことを特徴とする請求項１９に記載の方法。
【請求項２５】
前記リソース割り当て情報を含むメッセージは、前記端末と同じフレームでレンジングコードを送信した他の端末に対するリソース割り当て情報及び再送関連情報を含むことを特徴とする請求項１９に記載の方法。
【請求項２６】
前記リソース割り当て情報を含むメッセージは、ＣＤＭＡ（Ｃｏｄｅ  Ｄｉｖｉｓｉｏｎ  Ｍｕｌｔｉｐｌｅ  Ａｃｃｅｓｓ）＿Ａｌｌｏｃａｔｉｏｎ＿ＩＥ（Ｉｎｆｏｒｍａｔｉｏｎ  Ｅｌｅｍｅｎｔ）であることを特徴とする請求項１９に記載の方法。
【請求項２７】
無線通信システムにおける基地局装置において、
レンジングコードの第１セットに対する情報及レンジングコードの第２セットに対する情報を送信し、端末から前記レンジングコードの第１セットのうち１つのレンジングコードを受信し、前記端末にリソース割り当て情報を含むメッセージを送信するモデムを含み、
前記レンジングコードの第１セットが使用されるとレンジング要求メッセージの再送が支援され、
前記レンジングコードの第２セットが使用されるとレンジング要求メッセージの再送が支援されないことを特徴とする装置。
【請求項２８】
前記モデムは、再送のためのリソース割り当て情報を含むメッセージを送信することを特徴とする請求項２７に記載の装置。
【請求項２９】
前記モデムは、前記再送のためのリソース割り当て情報を含むメッセージそれぞれによって割り当てられたリソースを介して受信された信号を結合することを特徴とする請求項２８に記載の装置。
【請求項３０】
前記レンジングコードの第１セットに対する情報は、レンジングコードの範囲をコード個数又はコードインデックスで定義することを特徴とする請求項２７に記載の装置。
【請求項３１】
前記リソース割り当て情報を含むメッセージは、前記端末から送信されたレンジングコードのインデックス及び前記端末から送信されたレンジングコードを運んだフレームインデックスを含むことを特徴とする請求項２７に記載の装置。
【請求項３２】
前記リソース割り当て情報を含むメッセージは、ＡＲＱ（Ａｕｔｏｍａｔｉｃ  Ｒｅｐｅａｔ  ｒｅｑｕｅｓｔ）チャネル識別子（ｉｄｅｎｔｉｆｉｅｒ）、ＡＲＱ識別子シーケンス番号（ＡＩ＿ＳＮ：Ａｒｑ  Ｉｄｅｎｔｉｆｉｅｒ  Ｓｅｑｕｅｎｃｅ  Ｎｕｍｂｅｒ）、ＡＣＫ／ＮＡＣＫ（ＡＣＫｎｏｗｌｅｄｇｅ／Ｎｏｎ−ＡＣＫ）をフィードバックするか否かを知らせる値のうち少なくとも１つを含むことを特徴とする請求項２７に記載の装置。
【請求項３３】
前記リソース割り当て情報を含むメッセージは、前記端末と同じフレームでレンジングコードを送信した他の端末に対するリソース割り当て情報及び再送関連情報を含むことを特徴とする請求項２７に記載の装置。
【請求項３４】
前記リソース割り当て情報を含むメッセージは、ＣＤＭＡ（Ｃｏｄｅ  Ｄｉｖｉｓｉｏｎ  Ｍｕｌｔｉｐｌｅ  Ａｃｃｅｓｓ）＿Ａｌｌｏｃａｔｉｏｎ＿ＩＥ（Ｉｎｆｏｒｍａｔｉｏｎ  Ｅｌｅｍｅｎｔ）であることを特徴とする請求項２７に記載の装置。